(57)【要約】【課題】誤配線による過電圧事故の発生を係員に迅速に警告する。【解決手段】人感センサ１６５は、台間機４３近傍の人間の存在を検知し、人感検出信号送信部２２３は、存在情報を、台間機IDと共に台間機管理装置３４に送信し、過電圧異常信号送信部２２１は、過電圧情報を、台間機IDと共に送信する。人感検出信号管理DB１４１は、台間機４３より送信されてくる台間機IDと存在情報とを対応付けてデータベースとして記憶する。人感検出信号管理部１１３は、台間機４３の過電圧情報と台間機IDに基づいて、記憶されているデータベースを検索し、警報情報送信部１３１は、台間機IDに対応する台間機４３に対して、過電圧が検出されていることを警告する警告情報を送信する。警報制御部２１５は、送信された過電圧情報に対応して、送信されてくる警報情報に基づいて、警報を提示する。本発明は、監視システムに適用することができる。【選択図】図２
2008206570.tif 000002
【特許請求の範囲】
【請求項１】
外部電源より遊技台に電源を供給する複数の台間機と、前記台間機を管理する台間機管理装置とからなる監視システムにおいて、
前記台間機は、
前記台間機近傍における人間の存在を検知する検知手段と、
前記検知手段により検知された前記台間機近傍における人間の存在を示す存在情報を、自らを識別する情報と共に前記台間機管理装置に送信する第１の送信手段と、
過電圧を検出する過電圧検出手段と、
前記過電圧検出手段により過電圧が検出されたことを示す過電圧情報を、前記自らを識別する情報と共に送信する第２の送信手段と、
前記自ら、または、他の台間機により送信された前記過電圧情報に対応して、前記台間機管理装置より送信されてくる警報情報に基づいて、警報を提示する警報提示手段と
を含み、
前記台間機管理装置は、
前記台間機より送信されてくる前記識別情報と前記存在情報とを対応付けてデータベースとして記憶する存在情報記憶手段と、
前記台間機より過電圧情報が送信されてきた場合、前記過電圧情報と共に送信されてきた識別情報に基づいて、前記存在情報記憶手段により記憶されているデータベースを検索する識別情報検索手段と、
前記識別情報検索手段の検索結果となる識別情報に対応する台間機に対して、前記過電圧が検出されていることを警告する警告情報を送信する第３の送信手段と
を含む監視システム。
【請求項２】
前記検知手段は、人感センサにより前記台間機近傍における人間の存在を検知する
請求項１に記載の監視システム。
【請求項３】
前記検知手段は、RFIDアンテナにより前記台間機近傍における前記RFIDアンテナにより通信可能な携帯端末を所持した人間の存在を検知する
請求項１に記載の監視システム。
【請求項４】
前記RFIDアンテナにより前記台間機近傍における前記RFIDアンテナにより通信可能な携帯端末を所持した人間の存在を検知する際、前記携帯端末の固有IDを取得する固有ID取得手段と、
前記固有ID取得手段により取得された固有IDを、自らを識別する情報と共に前記台間機管理装置に送信する第４の送信手段と、
前記台間機より送信されてくる前記識別情報、および固有IDを対応付けてデータベースとして記憶する固有ID記憶手段と、
前記台間機より過電圧情報が送信されてきた場合、前記過電圧情報と共に送信されてきた識別情報に基づいて、前記固有ID記憶手段により記憶されているデータベースを検索する固有ID検索手段と、
前記識別情報検索手段の検索結果となる固有IDに対応する携帯端末に対して、前記過電圧が検出されていることを警告する警告情報を通知する通知手段とをさらに含む
請求項３に記載の監視システム。
【請求項５】
前記台間機は、
前記外部電源を所定の電源に変換する変換手段と、
前記外部電源が投入されたタイミングから所定の時間までカウントするカウント手段と、
前記変換手段に対して前記外部電源を遮断する遮断手段とをさらに含み、
前記遮断手段は、前記過電圧検出手段により過電圧が検出されず、前記カウント手段により所定の時間が経過した場合、前記変換手段に対して前記外部電源の遮断を解除し、
前記過電圧検出手段により過電圧が検出された場合、前記カウント手段は、時間のカウントを停止する
請求項１に記載の監視システム。
【請求項６】
外部電源より遊技台に電源を供給する複数の台間機と、前記台間機を管理する台間機管理装置とからなる監視システムの監視方法において、
前記台間機の監視方法は、
前記台間機近傍における人間の存在を検知する検知ステップと、
前記検知ステップの処理により検知された前記台間機近傍における人間の存在を示す存在情報を、自らを識別する情報と共に前記台間機管理装置に送信する第１の送信ステップと、
過電圧を検出する過電圧検出ステップと、
前記過電圧検出ステップの処理により過電圧が検出されたことを示す過電圧情報を、前記自らを識別する情報と共に送信する第２の送信ステップと、
前記自ら、または、他の台間機により送信された前記過電圧情報に対応して、前記台間機管理装置より送信されてくる警報情報に基づいて、警報を提示する警報提示ステップと
を含み、
前記台間機管理装置の監視方法は、
前記台間機より送信されてくる前記識別情報と前記存在情報とを対応付けてデータベースとして記憶する存在情報記憶ステップと、
前記台間機より過電圧情報が送信されてきた場合、前記過電圧情報と共に送信されてきた識別情報に基づいて、前記存在情報記憶ステップの処理により記憶されているデータベースを検索する識別情報検索ステップと、
前記識別情報検索ステップの処理での検索結果となる識別情報に対応する台間機に対して、前記過電圧が検出されていることを警告する警告情報を送信する第３の送信ステップと
を含む監視方法。
【請求項７】
外部電源より遊技台に電源を供給する複数の台間機と、前記台間機を管理する台間機管理装置とからなる監視システムを制御するコンピュータのうち、
前記台間機を制御するコンピュータに、
前記台間機近傍における人間の存在を検知する検知ステップと、
前記検知ステップの処理により検知された前記台間機近傍における人間の存在を示す存在情報を、自らを識別する情報と共に前記台間機管理装置に送信する第１の送信ステップと、
過電圧を検出する過電圧検出ステップと、
前記過電圧検出ステップの処理により過電圧が検出されたことを示す過電圧情報を、前記自らを識別する情報と共に送信する第２の送信ステップと、
前記自ら、または、他の台間機により送信された前記過電圧情報に対応して、前記台間機管理装置より送信されてくる警報情報に基づいて、警報を提示する警報提示ステップと
を含む処理を実行させ、
前記台間機管理装置を制御するコンピュータに、
前記台間機より送信されてくる前記識別情報と前記存在情報とを対応付けてデータベースとして記憶する存在情報記憶ステップと、
前記台間機より過電圧情報が送信されてきた場合、前記過電圧情報と共に送信されてきた識別情報に基づいて、前記存在情報記憶ステップの処理により記憶されているデータベースを検索する識別情報検索ステップと、
前記識別情報検索ステップの処理での検索結果となる識別情報に対応する台間機に対して、前記過電圧が検出されていることを警告する警告情報を送信する第３の送信ステップと
を含む処理を実行させるプログラム。
【請求項８】
外部電源より遊技台に電源を供給する台間機において、
前記台間機近傍における人間の存在を検知する検知手段と、
前記検知手段により検知された前記台間機近傍における人間の存在を示す存在情報を、自らを識別する情報と共に台間機管理装置に送信する第１の送信手段と、
過電圧を検出する過電圧検出手段と、
前記過電圧検出手段により過電圧が検出されたことを示す過電圧情報を、前記自らを識別する情報と共に送信する第２の送信手段と、
前記自ら、または、他の台間機により送信された前記過電圧情報に対応して、前記台間機管理装置より送信されてくる警報情報に基づいて、警報を提示する警報提示手段と
を含む台間機。
【請求項９】
複数の台間機を管理する台間機管理装置において、
前記複数の台間機より送信されてくる、前記台間機を個別に識別する識別情報と前記台間機近傍における人間の存在を示す存在情報とを対応付けてデータベースとして記憶する存在情報記憶手段と、
前記台間機より前記識別情報と共に過電圧が検出されたことを示す過電圧情報が送信されてきた場合、前記過電圧情報と共に送信されてきた識別情報に基づいて、前記存在情報記憶手段により記憶されているデータベースを検索する識別情報検索手段と、
前記識別情報検索手段の検索結果となる識別情報に対応する台間機に対して、前記過電圧が検出されていることを警告する警告情報を送信する送信手段と
を含む台間機管理装置。
【発明の詳細な説明】
【技術分野】
【０００１】
本発明は、監視システムおよび管理方法、台間機、台間機管理装置、並びにプログラムに関し、特に、台間機における過電圧による事故を監視し、過電圧事故が発生した場合、事故に対する処理を迅速にできるようにした監視システムおよび管理方法、台間機、台間機管理装置、並びにプログラムに関する。
【背景技術】
【０００２】
パチンコ台やパチスロ台に代表される遊技台は、一般に、遊技台に投入されるAC（Active Current）電源を台間機でDC（Direct Current）電源に変換させた後、自らの電源として利用している。
【０００３】
そこで、投入されたAC電源の電圧が過電圧である場合、回路を発熱させたり破損させず、安全に停止させることが出来るスイッチング電源装置が提案されている（特許文献１参照）。
【０００４】
また、投入された電源の電圧が、過電圧であることを報知する過電圧報知器を備えたパチンコ台の過電圧保護機能付き電源回路が提案されている（特許文献２参照）。
【０００５】
【特許文献１】特開２００５−２９５６２２号公報
【特許文献２】特開平１−２７５７９号公報
【発明の開示】
【発明が解決しようとする課題】
【０００６】
ところで、電源の操作は、ある程度複数の遊技台に対して行えるようにしなければ、遊技台の数に応じて電源の操作を行う必要があるため、作業対象の機器島単位あるいはフロア単位で数十台から数百台が一斉操作できるように配線されている。
【０００７】
しかしながら、上述の技術においては、個別の装置に電源をいれた時、初めて過電圧として報知されるものであるため、係員が近くにいない場合、または、遠隔から電源を投入した場合には係員及び管理者に対して誤配線を通知する事が出来なかった。
【０００８】
また、新規に台間機やパチンコ台を設置する場合やパチンコ台の入れ替え作業が発生した時、作業者が誤って配線した場合に遠隔から一斉に電源を入れる事や作業した台数が数十台から数百台ある為、誤配線により過電圧事故が発生していても、瞬時に誤配線された機器を特定することができなかった。このため、故障していることに気付かず、店舗の営業に支障を与える可能性もあった。
【０００９】
本発明はこのような状況に鑑みてなされたものであり、例えば、誤配線により台間機に過電圧による事故が発生しても、過電圧を遮断することで、遊技台そのものを故障しないようにすると共に、さらに、誤配線による過電圧事故の発生を係員や管理者に迅速に警告できるようにするものである。
【課題を解決するための手段】
【００１０】
本発明の第１の側面の監視システムは、外部電源より遊技台に電源を供給する複数の台間機と、前記台間機を管理する台間機管理装置とからなる監視システムであって、前記台間機が、前記台間機近傍における人間の存在を検知する検知手段と、前記検知手段により検知された前記台間機近傍における人間の存在を示す存在情報を、自らを識別する情報と共に前記台間機管理装置に送信する第１の送信手段と、過電圧を検出する過電圧検出手段と、前記過電圧検出手段により過電圧が検出されたことを示す過電圧情報を、前記自らを識別する情報と共に送信する第２の送信手段と、前記自ら、または、他の台間機により送信された前記過電圧情報に対応して、前記台間機管理装置より送信されてくる警報情報に基づいて、警報を提示する警報提示手段とを含み、前記台間機管理装置が、前記台間機より送信されてくる前記識別情報と前記存在情報とを対応付けてデータベースとして記憶する存在情報記憶手段と、前記台間機より過電圧情報が送信されてきた場合、前記過電圧情報と共に送信されてきた識別情報に基づいて、前記存在情報記憶手段により記憶されているデータベースを検索する識別情報検索手段と、前記識別情報検索手段の検索結果となる識別情報に対応する台間機に対して、前記過電圧が検出されていることを警告する警告情報を送信する第３の送信手段とを含む。
【００１１】
前記検知手段には、人感センサにより前記台間機近傍における人間の存在を検知させるようにすることができる。
【００１２】
前記検知手段には、RFIDアンテナにより前記台間機近傍における前記RFIDアンテナにより通信可能な携帯端末を所持した人間の存在を検知させるようにすることができる。
【００１３】
前記RFIDアンテナにより前記台間機近傍における前記RFIDアンテナにより通信可能な携帯端末を所持した人間の存在を検知する際、前記携帯端末の固有IDを取得する固有ID取得手段と、前記固有ID取得手段により取得された固有IDを、自らを識別する情報と共に前記台間機管理装置に送信する第４の送信手段と、前記台間機より送信されてくる前記識別情報、および固有IDを対応付けてデータベースとして記憶する固有ID記憶手段と、前記台間機より過電圧情報が送信されてきた場合、前記過電圧情報と共に送信されてきた識別情報に基づいて、前記固有ID記憶手段により記憶されているデータベースを検索する固有ID検索手段と、前記識別情報検索手段の検索結果となる固有IDに対応する携帯端末に対して、前記過電圧が検出されていることを警告する警告情報を通知する通知手段とをさらに含ませるようにすることができる。
【００１４】
前記台間機には、前記外部電源を所定の電源に変換する変換手段と、前記外部電源が投入されたタイミングから所定の時間までカウントするカウント手段と、前記変換手段に対して前記外部電源を遮断する遮断手段とをさらに含ませるようにすることができ、前記遮断手段には、前記過電圧検出手段により過電圧が検出されず、前記カウント手段により所定の時間が経過した場合、前記変換手段に対して前記外部電源の遮断を解除させ、前記過電圧検出手段により過電圧が検出された場合、前記カウント手段は、時間のカウントを停止させるようにすることができる。
【００１５】
本発明の第１の側面の監視方法は、外部電源より遊技台に電源を供給する複数の台間機と、前記台間機を管理する台間機管理装置とからなる監視システムの監視方法であって、前記台間機の監視方法が、前記台間機近傍における人間の存在を検知する検知ステップと、前記検知ステップの処理により検知された前記台間機近傍における人間の存在を示す存在情報を、自らを識別する情報と共に前記台間機管理装置に送信する第１の送信ステップと、過電圧を検出する過電圧検出ステップと、前記過電圧検出ステップの処理により過電圧が検出されたことを示す過電圧情報を、前記自らを識別する情報と共に送信する第２の送信ステップと、前記自ら、または、他の台間機により送信された前記過電圧情報に対応して、前記台間機管理装置より送信されてくる警報情報に基づいて、警報を提示する警報提示ステップとを含み、前記台間機管理装置の監視方法が、前記台間機より送信されてくる前記識別情報と前記存在情報とを対応付けてデータベースとして記憶する存在情報記憶ステップと、前記台間機より過電圧情報が送信されてきた場合、前記過電圧情報と共に送信されてきた識別情報に基づいて、前記存在情報記憶ステップの処理により記憶されているデータベースを検索する識別情報検索ステップと、前記識別情報検索ステップの処理での検索結果となる識別情報に対応する台間機に対して、前記過電圧が検出されていることを警告する警告情報を送信する第３の送信ステップとを含む。
【００１６】
本発明の第１の側面のプログラムは、外部電源より遊技台に電源を供給する複数の台間機と、前記台間機を管理する台間機管理装置とからなる監視システムを制御するコンピュータのうち、前記台間機を制御するコンピュータに、前記台間機近傍における人間の存在を検知する検知ステップと、前記検知ステップの処理により検知された前記台間機近傍における人間の存在を示す存在情報を、自らを識別する情報と共に前記台間機管理装置に送信する第１の送信ステップと、過電圧を検出する過電圧検出ステップと、前記過電圧検出ステップの処理により過電圧が検出されたことを示す過電圧情報を、前記自らを識別する情報と共に送信する第２の送信ステップと、前記自ら、または、他の台間機により送信された前記過電圧情報に対応して、前記台間機管理装置より送信されてくる警報情報に基づいて、警報を提示する警報提示ステップとを含む処理を実行させ、前記台間機管理装置を制御するコンピュータに、前記台間機より送信されてくる前記識別情報と前記存在情報とを対応付けてデータベースとして記憶する存在情報記憶ステップと、前記台間機より過電圧情報が送信されてきた場合、前記過電圧情報と共に送信されてきた識別情報に基づいて、前記存在情報記憶ステップの処理により記憶されているデータベースを検索する識別情報検索ステップと、前記識別情報検索ステップの処理での検索結果となる識別情報に対応する台間機に対して、前記過電圧が検出されていることを警告する警告情報を送信する第３の送信ステップとを含む処理を実行させる。
【００１７】
本発明の第２の側面の台間機は、外部電源より遊技台に電源を供給する台間機であって、前記台間機近傍における人間の存在を検知する検知手段と、前記検知手段により検知された前記台間機近傍における人間の存在を示す存在情報を、自らを識別する情報と共に台間機管理装置に送信する第１の送信手段と、過電圧を検出する過電圧検出手段と、前記過電圧検出手段により過電圧が検出されたことを示す過電圧情報を、前記自らを識別する情報と共に送信する第２の送信手段と、前記自ら、または、他の台間機により送信された前記過電圧情報に対応して、前記台間機管理装置より送信されてくる警報情報に基づいて、警報を提示する警報提示手段とを含む。
【００１８】
本発明の第３の側面の台間機管理装置は、複数の台間機を管理する台間機管理装置であって、前記複数の台間機より送信されてくる、前記台間機を個別に識別する識別情報と前記台間機近傍における人間の存在を示す存在情報とを対応付けてデータベースとして記憶する存在情報記憶手段と、前記台間機より前記識別情報と共に過電圧が検出されたことを示す過電圧情報が送信されてきた場合、前記過電圧情報と共に送信されてきた識別情報に基づいて、前記存在情報記憶手段により記憶されているデータベースを検索する識別情報検索手段と、前記識別情報検索手段の検索結果となる識別情報に対応する台間機に対して、前記過電圧が検出されていることを警告する警告情報を送信する送信手段とを含む。
【００１９】
本発明の第１の側面の監視システムおよび方法、並びにプログラムにおいては、外部電源より遊技台に電源を供給する複数の台間機と、前記台間機を管理する台間機管理装置とからなる監視システムのうち、前記台間機により、前記台間機近傍における人間の存在が検知され、前記検知手段により検知された前記台間機近傍における人間の存在を示す存在情報が、自らを識別する情報と共に前記台間機管理装置に送信され、過電圧が検出され、過電圧が検出されたことを示す過電圧情報が、前記自らを識別する情報と共に送信され、前記自ら、または、他の台間機により送信された前記過電圧情報に対応して、前記台間機管理装置より送信されてくる警報情報に基づいて、警報が提示され、前記台間機管理装置により、前記台間機より送信されてくる前記識別情報と前記存在情報とが対応付けてデータベースとして記憶され、前記台間機より過電圧情報が送信されてきた場合、前記過電圧情報と共に送信されてきた識別情報に基づいて、記憶されているデータベースが検索され、前記識別情報検索手段の検索結果となる識別情報に対応する台間機に対して、前記過電圧が検出されていることを警告する警告情報が送信される。
【００２０】
本発明の第２の側面の台間機においては、外部電源より遊技台に電源が供給され、前記台間機近傍における人間の存在が検知され、検知された前記台間機近傍における人間の存在を示す存在情報が、自らを識別する情報と共に台間機管理装置に送信され、過電圧が検出され、過電圧が検出されたことを示す過電圧情報が、前記自らを識別する情報と共に送信され、前記自ら、または、他の台間機により送信された前記過電圧情報に対応して、前記台間機管理装置より送信されてくる警報情報に基づいて、警報が提示される。
【００２１】
本発明の第３の側面の台間機管理装置においては、複数の台間機が管理され、前記複数の台間機より送信されてくる、前記台間機を個別に識別する識別情報と前記台間機近傍における人間の存在を示す存在情報とが対応付けてデータベースとして記憶され、前記台間機より前記識別情報と共に過電圧が検出されたことを示す過電圧情報が送信されてきた場合、前記過電圧情報と共に送信されてきた識別情報に基づいて、記憶されているデータベースが検索され、検索結果となる識別情報に対応する台間機に対して、前記過電圧が検出されていることを警告する警告情報が送信される。
【００２２】
本発明の第１の側面の、外部電源より遊技台に電源を供給する複数の台間機と、前記台間機を管理する台間機管理装置とからなる監視システムにおける、前記台間機の、前記台間機近傍における人間の存在を検知する検知手段とは、例えば、人感センサまたはRFIDアンテナであり、前記検知手段により検知された前記台間機近傍における人間の存在を示す存在情報を、自らを識別する情報と共に前記台間機管理装置に送信する第１の送信手段とは、例えば、人感検出信号送信部であり、過電圧を検出する過電圧検出手段とは、例えば、過電圧監視部であり、前記過電圧検出手段により過電圧が検出されたことを示す過電圧情報を、前記自らを識別する情報と共に送信する第２の送信手段とは、例えば、過電圧異常信号送信部であり、前記自ら、または、他の台間機により送信された前記過電圧情報に対応して、前記台間機管理装置より送信されてくる警報情報に基づいて、警報を提示する警報提示手段とは、例えば、警報制御部であり、前記台間機管理装置の、前記台間機より送信されてくる前記識別情報と前記存在情報とを対応付けてデータベースとして記憶する存在情報記憶手段とは、例えば、人感検出信号管理DBであり、前記台間機より過電圧情報が送信されてきた場合、前記過電圧情報と共に送信されてきた識別情報に基づいて、前記存在情報記憶手段により記憶されているデータベースを検索する識別情報検索手段とは、例えば、人感検出信号管理部であり、前記識別情報検索手段の検索結果となる識別情報に対応する台間機に対して、前記過電圧が検出されていることを警告する警告情報を送信する第３の送信手段とは、例えば、警報情報送信部である。
【００２３】
すなわち、台間機において人感センサにより台間機近傍に存在する人間と、台間機の識別情報とが対応付けて送信されてくると、台間機管理装置は、台間機の識別情報に対応付けて人間が存在することを示す存在情報とをデータベースとして登録する。そして、台間機において、過電圧が検出され、その台間機より過電圧が検出されたことを示す過電圧情報と共に、過電圧が検出された台間機を識別する識別情報とが、台間機管理装置に送信されてくると、台間機管理装置は、過電圧情報と共に送信されてきた識別情報をデータベースから検索し、検索された台間機に対して警報情報を送信する。警報情報を受けた台間機は、過電圧が発生した台間機の情報を警報情報として提示する。
【００２４】
これにより、いずれかの台間機で過電圧が検出されると、台間機管理装置が、データベースを検索して、近傍に人間が存在する台間機に対して警報情報を送信して、提示させるので、台間機の電源を操作する人物が、台間機から遠隔地で操作しているような状況であっても、そばで作業をする係員が存在する台間機に対して過電圧が検出されたことを示す警報情報が送信されて、提示されることになるので、係員に迅速に台間機での過電圧が報知されることになる。
【００２５】
結果として、誤配線による過電圧事故の発生を係員や管理者に迅速に警告することが可能となる。
【発明の効果】
【００２６】
本発明によれば、誤配線により台間機に過電圧による事故が発生しても、過電圧を遮断することで、遊技台そのものの故障を抑制することが可能になると共に、さらに、誤配線による過電圧事故の発生を係員や管理者に迅速に警告することが可能となる。
【発明を実施するための最良の形態】
【００２７】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２８】
すなわち、本発明の第１の側面の監視システムは、外部電源より遊技台（例えば、図２の遊技台４２）に電源を供給する複数の台間機（例えば、図２の台間機４３）と、前記台間機を管理する台間機管理装置（例えば、図２の台間機管理装置３４）とからなる監視システムであって、前記台間機が、前記台間機近傍における人間の存在を検知する検知手段（例えば、図２の人感センサ１６５またはRFIDアンテナ１６６）と、前記検知手段により検知された前記台間機近傍における人間の存在を示す存在情報を、自らを識別する情報と共に前記台間機管理装置に送信する第１の送信手段（例えば、図２の人感検出信号送信部２２３）と、過電圧を検出する過電圧検出手段（例えば、図２の過電圧監視部１７３）と、前記過電圧検出手段により過電圧が検出されたことを示す過電圧情報を、前記自らを識別する情報と共に送信する第２の送信手段（例えば、図２の過電圧異常信号送信部２２１）と、前記自ら、または、他の台間機により送信された前記過電圧情報に対応して、前記台間機管理装置より送信されてくる警報情報に基づいて、警報を提示する警報提示手段（例えば、図２の警報制御部２１５）とを含み、前記台間機管理装置が、前記台間機より送信されてくる前記識別情報と前記存在情報とを対応付けてデータベースとして記憶する存在情報記憶手段（例えば、図２の人感検出信号管理DB１４１）と、前記台間機より過電圧情報が送信されてきた場合、前記過電圧情報と共に送信されてきた識別情報に基づいて、前記存在情報記憶手段により記憶されているデータベースを検索する識別情報検索手段（例えば、図２の人感検出信号管理部１１３）と、前記識別情報検索手段の検索結果となる識別情報に対応する台間機に対して、前記過電圧が検出されていることを警告する警告情報を送信する第３の送信手段（例えば、図２の警報情報送信部１３１）とを含む。
【００２９】
前記検知手段には、人感センサ（例えば、図２の人感センサ１６５）により前記台間機近傍における人間の存在を検知させるようにすることができる。
【００３０】
前記検知手段には、RFIDアンテナ（例えば、図２のRFIDアンテナ１６６）により前記台間機近傍における前記RFIDアンテナにより通信可能な携帯端末を所持した人間の存在を検知させるようにすることができる。
【００３１】
前記RFIDアンテナにより前記台間機近傍における前記RFIDアンテナにより通信可能な携帯端末を所持した人間の存在を検知する際、前記携帯端末の固有IDを取得する固有ID取得手段（例えば、図２のRFIDアンテナ管理部２１３）と、前記固有ID取得手段により取得された固有IDを、自らを識別する情報と共に前記台間機管理装置に送信する第４の送信手段（例えば、図２の携帯端末固有ID送信部２２２）と、前記台間機より送信されてくる前記識別情報、および固有IDを対応付けてデータベースとして記憶する固有ID記憶手段（例えば、図２の携帯端末固有ID管理DB１４２）と、前記台間機より過電圧情報が送信されてきた場合、前記過電圧情報と共に送信されてきた識別情報に基づいて、前記固有ID記憶手段により記憶されているデータベースを検索する固有ID検索手段（例えば、図２の携帯端末固有ID管理部１１２）と、前記識別情報検索手段の検索結果となる固有IDに対応する携帯端末に対して、前記過電圧が検出されていることを警告する警告情報を通知する通知手段（例えば、図２の通信部１０５）とをさらに含ませるようにすることができる。
【００３２】
前記台間機には、前記外部電源を所定の電源に変換する変換手段（例えば、図２のスイッチング電源部１７２）と、前記外部電源が投入されたタイミングから所定の時間までカウントするカウント手段（例えば、図２の印加制御タイマ１７４）と、前記変換手段に対して前記外部電源を遮断する遮断手段（例えば、図２の電圧印加制御部１７５）とをさらに含ませるようにすることができ、前記遮断手段には、前記過電圧検出手段により過電圧が検出されず、前記カウント手段により所定の時間が経過した場合、前記変換手段に対して前記外部電源の遮断を解除させ、前記過電圧検出手段により過電圧が検出された場合、前記カウント手段は、時間のカウントを停止させるようにすることができる。
【００３３】
本発明の第１の側面の監視方法は、外部電源より遊技台に電源を供給する複数の台間機と、前記台間機を管理する台間機管理装置とからなる監視システムの監視方法であって、前記台間機の監視方法が、前記台間機近傍における人間の存在を検知する検知ステップ（例えば、図６のステップＳ７１）と、前記検知ステップの処理により検知された前記台間機近傍における人間の存在を示す存在情報を、自らを識別する情報と共に前記台間機管理装置に送信する第１の送信ステップ（例えば、図６のステップＳ７２）と、過電圧を検出する過電圧検出ステップ（例えば、図７のステップＳ１１１）と、前記過電圧検出ステップの処理により過電圧が検出されたことを示す過電圧情報を、前記自らを識別する情報と共に送信する第２の送信ステップ（例えば、図７のステップＳ１１２）と、前記自ら、または、他の台間機により送信された前記過電圧情報に対応して、前記台間機管理装置より送信されてくる警報情報に基づいて、警報を提示する警報提示ステップ（例えば、図７のステップＳ１７３）とを含み、前記台間機管理装置の監視方法が、前記台間機より送信されてくる前記識別情報と前記存在情報とを対応付けてデータベースとして記憶する存在情報記憶ステップ（例えば、図６のステップＳ９３）と、前記台間機より過電圧情報が送信されてきた場合、前記過電圧情報と共に送信されてきた識別情報に基づいて、前記存在情報記憶ステップの処理により記憶されているデータベースを検索する識別情報検索ステップ（例えば、図７のステップＳ１３６）と、前記識別情報検索ステップの処理での検索結果となる識別情報に対応する台間機に対して、前記過電圧が検出されていることを警告する警告情報を送信する第３の送信ステップ（例えば、図７のステップＳ１３８）とを含む。
【００３４】
図１は、本発明に係る遊技店の監視システムの一実施の形態の構成を示す図である。
【００３５】
遊技店１−１乃至１−ｎは、いわゆるパチンコ店、パチスロ店、または、カジノ店である。また、これらの遊技店１−１乃至１−ｎは、系列店舗や第３者遊技店管理センタの加盟店であって、複数の店舗を統括的に管理する必要のある店舗である。各遊技店１−１乃至１−ｎは、第３者遊技店管理バス５により接続されており、それらのバスおよびインターネット等に代表される公衆通信回線網４を介して、相互にそれぞれ第３者遊技店管理情報を授受している。尚、以降において、遊技店１−１乃至１−ｎのそれぞれについて、特に区別する必要がない場合、単に、遊技店１と称するものとし、その他の構成についても同様に称するものとする。
【００３６】
第３者遊技店管理センタ２は、第３者遊技店管理センタを管理運営する事業者により使用されるサーバであり、第３者遊技店管理データベース（DB）３で管理されている媒体貸出管理情報からなるDBを各遊技店１より供給されてくる情報に基づいて更新すると供に、更新した最新の媒体貸出管理情報を各遊技店１に対して配信する。
【００３７】
遊技店管理装置３１は、いわゆるホールコンピュータと呼ばれるものであり、遊技店管理情報バス３８を介して遊技台４２−１乃至４２−ｎの動作を監視している。遊技店管理装置３１は、遊技台４２の出玉もしくはメダルの払い出しの情報、各遊技台４２−１乃至４２−ｎの遊技者の呼び出し情報、またはエラーの発生などの監視状況に応じて、所定の処理を実行し、実行結果をCRTやLCDなどからなる表示部３３に表示する。遊技店管理装置３１は、計数機４１、遊技台４２−１乃至４２−ｎ、および台間機４３−１乃至４３−ｎのそれぞれより供給されてくる情報を、それぞれを識別する識別情報（例えば、遊技台番号）とを対応付けて遊技台管理データベース３２により管理する。
【００３８】
台間機管理装置３４は、台間機４３より供給されてくる人感検出信号、および携帯端末固有IDの情報を、送信してきた台間機４３を識別する台間機IDに対応付けて、台間機管理データベース(DB)３５として登録する。また、台間機管理装置３４は、台間機４３より対応する遊技台４２における誤配線などにより発生する過電圧が検出されたことが通知されると、通知と共に送信されてくる台間機４３の台間機IDを、台間機管理データベース３５より検索して、対応して人感センサ１６５により係員が付近に存在することが検出されている台間機４３に警報情報を送信すると共に、過電圧が検出された台間機４３の近傍に存在する人物により所持されている携帯端末３７に警報情報を送信する。
【００３９】
精算販売機３９は、貸球を借りるための度数をつけてプリペイドカードを販売する。また、精算販売機３９は、プリペイドカードなどの度数として貸し出した遊技媒体の残数に基づいて現金を精算して払い出す。
【００４０】
貸出機４０は、遊技者が遊技台４２で遊技する際、現金やプリペイドカードなどにより所定の金額を受け付けると、金額に応じた個数の遊技媒体を貸し出す。
【００４１】
計数機４１は、遊技者が遊技台４２により遊技することにより獲得した遊技媒体の数を、計数し、計数結果を磁気カードやレシートなどとして出力する。
【００４２】
遊技台４２−１乃至４２−ｎは、遊技者により所定の操作がなされることにより、遊技を実行し、いわゆる小当たりや大当たりに応じて、遊技球、または、メダルを払い出す。
【００４３】
台間機４３−１乃至４３−ｎは、各遊技台４２−１乃至４２−ｎに対応して設けられており、球貸機（原理的には、貸出機４０と同様のもの）などが設けられている。また、台間機４３は、遊技台４２を介して供給されてくるAC電源をDC電源に変換して遊技台４２に供給する。この際、台間機４３は、AC電源に過電圧が発生した場合、AC電源を停止させると共に、過電圧が発生したことを台間機管理装置３４に通知する。
【００４４】
また、台間機４３は、人感センサ１６５（図２）により自らの近傍に人物（営業時間外における係員など）の有無を検知し、人物を検知した場合、自らを識別する台間機IDと共に、その旨を台間機管理装置３４に送信する。
【００４５】
さらに、台間機４３は、RFID（Radio Frequency Identification）アンテナ１６６（図２）により自らの近傍に、RFIDアンテナ１６６により認識可能な携帯端末３７（IDタグなどが付された携帯端末３７）を所持した人物（営業時間外における係員など）の有無を検知し、人物を検知した場合（携帯端末３７を検知した場合）、IDタグとして登録されている携帯端末３７を識別する固有IDを読み出し、携帯端末３７を所持した人物が存在すること示す情報と共に固有ID並びに、自らを識別する台間機IDと共に台間機管理装置３４に送信する。
【００４６】
また、台間機４３は、台間機管理装置３４より自ら、または、その他の台間機４３により過電圧が発生したことを示す警報情報が送信されてきた場合、受信し、表示する。
【００４７】
次に、図２を参照して、監視システムを構成する機器の詳細な実施の形態の構成例について説明する。
【００４８】
遊技台４２のAC入力端子１５１は、AC電源９１より供給される電力を受け付けAC出力端子１５２より台間機４３に出力する。遊技台４２のDC入力端子１５３は、台間機４３によりAC電源からDC電源に変換された電力の供給を受けると、駆動部１５４に供給し、遊技台４２における各種の動作をさせる駆動部１５４を駆動させる。
【００４９】
台間機４３は、遊技台４２に電力を供給する電源部１６１、台間機４３の動作の全体を制御する台間機制御部１６２、CRTやLCDなどからなる表示部１６３、各種の情報を音声として出力するスピーカ１６４、台間機４３の近傍に存在する人間を感知する人感センサ１６５、およびIDタグを認識して、IDタグに記録されている情報を受信するRFIDアンテナ１６６より構成される。
【００５０】
電源部１６１の電圧印加部１７１は、遊技台４２より供給されてくるAC電源を、電圧印加制御部１７５により制御されて、スイッチング電源部１７２に供給する。より具体的には、電圧印加部１７１の出力制御部１８３は、電圧印加制御部１７５により制御され、入力部１８１に入力されたAC電源の電力を出力部１８２よりスイッチング電源部１７２に出力させる。
【００５１】
過電圧監視部１７３は、入力されたAC電源９１の電圧を計測し、所定の閾値以上の過電圧を監視し、過電圧が検出された場合、過電圧が検出されたことを示す過電圧情報を、印加制御タイマ１７４、過電圧検知タイマ１７６、および台間機制御部１６２に出力する。
【００５２】
印加制御タイマ１７４は、遊技台４２からのAC電源９１の電圧が印加されると、供給されたタイミングからタイマとして機能して、時間をカウントする。この際、過電圧監視部１７３より過電圧情報が供給されると、そのタイミングで時間のカウントを停止する。過電圧検知タイマ１７６は、過電圧監視部１７３より過電圧情報が供給されてくると、時間のカウントを開始する。電圧印加制御部１７５は、印加制御タイマ１７４および過電圧検知タイマ１７６を読み出し、印加制御タイマ１７４がカウントを開始してから所定の時間（例えば、100ms程度）が経過している場合、電圧印加部１７１に対して、AC電源９１からの電力をスイッチング電源部１７２に出力するように制御させると共に、印加制御タイマ１７４がカウントが停止している、カウントが所定時間を経過していない、または、過電圧検知タイマ１７６がカウントを継続している場合、電圧印加部１７１に対して、AC電源９１からの電力をスイッチング電源部１７２に出力しないように制御させる。
【００５３】
台間機制御部１６２は、台間機制御部１６２の動作の全体を制御する主制御部２０１、各種の情報を台間機管理装置３４に送信する管理情報送信部２０２、および、台間機管理装置３４より送信されてくる各種の情報を受信する管理情報受信部２０３より構成されている。
【００５４】
主制御部２０１には、台間機４３を個々に識別するための台間機ID２１１が格納されている。過電圧異常管理部２１２は、電源部１６１より過電圧異常により過電圧情報が供給されてくるか否かを監視し、供給されてきた場合、管理情報送信部２０２の過電圧異常信号送信部２２１に対して過電圧情報が供給されてきたことを台間機管理装置３４に対して通知するように制御すると共に、その際、台間機ID２１１を読み出して、台間機ID２１１の情報を含めて台間機管理装置３４に送信させる。
【００５５】
RFIDアンテナ管理部２１３は、RFIDアンテナ１６６を制御して、台間機４３近傍の係員により所持される携帯端末３７のIDタグの有無を検知させて、IDタグの存在が検知された場合、IDタグに記憶されている携帯端末３７を個別に識別する固有IDを読み出させて、管理情報送信部２０２に供給し、台間機管理装置３４に台間機IDと共に送信させる。
【００５６】
人感センサ制御部２１４は、人感センサ１６５の動作を制御して、台間機４３の近傍の係員の存在の有無を検知させ、存在する場合、近傍で係員が存在することを示す存在情報を人感検出信号として、人感検出信号送信部２２３を制御して、台間機管理装置３４に送信させる。
【００５７】
警報制御部２１５は、管理情報受信部２０３により台間機管理装置３４より過電圧が検知された台間機４３の存在を示す警報情報が受信されると、受信された警報情報に基づいて、過電圧が発生したことを、発生した台間機４３の情報と共に表示部１６３およびスピーカ１６４を制御して、画像および音声により提示する。
【００５８】
台間機管理装置３４は、台間機管理装置３４の動作の全体を制御する主制御部１０１、各種の情報を台間機４３より受信する管理情報受信部１０２、各種の情報を台間機４３に送信する管理情報送信部１０３、キーボードやボタンなどからなる操作部１０４、および携帯端末３７と通信する通信部１０５からなる。
【００５９】
主制御部１０１の携帯端末固有ID管理部１１２は、管理情報受信部１０２の携帯端末固有ID受信部１２２により、台間機４３より送信されてくる携帯端末固有IDの情報が受信されると、併せて送信されてくる台間機IDに対応付けて、台間機管理DB３５の携帯端末固有ID管理DB１４２に登録する。
【００６０】
主制御部１０１の人感検出信号管理部１１３は、管理情報受信部１０２の人感検出信号受信部１２３により、台間機４３より送信されてくる人感検出信号の情報が受信されると、併せて送信されてくる台間機IDに対応付けて、台間機管理DB３５の人感検出信号管理DB１４１に登録する。
【００６１】
携帯端末通信制御部１１１は、管理情報受信部１０２の過電圧異常信号受信部１２１により、台間機４３より過電圧が検知されて、過電圧情報が発生したことを示す過電圧異常信号が受信されると、併せて送信されてくる台間機IDの近傍の複数の台間機４３の台間機IDを、携帯端末固有ID管理DB１４２より検索し、検索された対応する携帯端末固有IDに基づいて、通信部１０５を制御して、過電圧が検出された台間機４３の情報を通知する。
【００６２】
警報制御部１１４は、管理情報受信部１０２の過電圧異常信号受信部１２１により、台間機４３より過電圧が検知されて、過電圧情報が発生したことを示す過電圧異常信号が受信されると、併せて送信されてくる台間機IDに対応する台間機４３の近傍の複数の台間機４３の台間機IDを、人感検知信号管理DB１４１より検索し、検索された対応する人感検知信号に基づいて、管理情報送信部１０３の警報情報送信部１３１を制御して、過電圧が検出された台間機４３の警報情報を台間機４３に送信させる。
【００６３】
携帯端末３７の固有ID２５１は、いわゆるIDタグに記憶されている情報である。通信部２５２は、ネットワークインタフェースなどから構成され、画像または音声などからなる情報を通信により授受する。表示部２５３は、LCDなどから構成されており、警報情報などを表示する。
【００６４】
次に、図３のフローチャートを参照して、電源部１６１における過電圧監視処理について説明する。尚、以降の処理の説明においては、遊技店１の営業時間外などの、遊技客などが遊技店１内に存在せず、係員のみが存在する状況における処理であることが前提である。
【００６５】
ステップＳ１において、印加制御タイマ１７４は、遊技台４２よりAC電源９１の電圧の印加が開始されたか否かを判定し、例えば、図示せぬ遊技台４２にAC電源９１より電力が供給され、AC入力端子１５１に供給された電力がAC出力端子１５２より出力されてきた場合、AC電源９１の電圧の印加が開始されたと判定され、処理は、ステップＳ２に進む。尚、このとき、電圧印加部１７１の入力部１８１、および過電圧監視部１７３にも同時に、AC電源９１からの電力の印加が開始される。
【００６６】
ステップＳ２において、印加制御タイマ１７４は、AC電源９１からの電圧の印加が開始されてからの時間のカウントを開始する。
【００６７】
ステップＳ３において、過電圧監視部１７３は、印加されたAC電源９１からの電圧が、過電圧であるか否かを判定し、過電圧ではない場合、処理は、ステップＳ１に戻る。
【００６８】
一方、ステップＳ１において、AC電源９１の電圧の印加が開始されていない場合、ステップＳ２の処理は、スキップされる。すなわち、ステップＳ１においては、AC電源９１の電圧の印加が開始されたか否かが判定されているので、電圧が印加されていない状態はもちろんのこと、既に電圧が印加され、その状態が継続されている場合も、印加が開始されたとはみなされない。このため、印加された状態が継続している場合、ステップＳ２の処理がスキップされる。従って、AC電源９１から電圧が印加されているか否かに関わらず、過電圧ではない場合、ステップＳ１乃至Ｓ３の処理が繰り返されて、過電圧の監視状態が継続し、AC電源９１から電圧の印加が開始されたタイミングにおいてのみ、印加制御タイマ１７４のカウントがリセットされて開始される。
【００６９】
ステップＳ３において、過電圧が検知された場合、ステップＳ４において、過電圧監視部１７３は、過電圧が検知されたことを印加制御タイマ１７４、過電圧検知タイマ１７６に通知する。これにより、印加制御タイマ１７４は、タイマのカウントを停止する。
【００７０】
ステップＳ５において、過電圧検知タイマ１７６は、タイマのカウントを開始する。
【００７１】
ステップＳ６において、過電圧監視部１７３は、過電圧が検出されたことを台間機制御部１６２に通知し、処理は、ステップＳ１に戻る。
【００７２】
以上の処理により、AC電源９１により電圧の印加が開始されると、印加制御タイマ１７４がタイマのカウントを開始し、過電圧が検出されると、印加制御タイマ１７４がカウントを停止して、過電圧検知タイマ１７６がタイマのカウントを開始すると共に、過電圧が検知されたことが台間機制御部１６２に通知される。
【００７３】
次に、図４のフローチャートを参照して、電源部１６１における電源管理処理について説明する。
【００７４】
ステップＳ２１において、電圧印加制御部１７５は、印加制御タイマ１７４でカウントされている時間情報を参照して、所定時間（例えば、100ms）が経過しているか否か、すなわち、図３のフローチャートで参照したステップＳ２の処理により、カウントが開始され、過電圧が検知されることなく所定時間が経過したか否かを判定する。ステップＳ２１において、所定時間が経過していると判定された場合、すなわち、AC電源９１が接続されてから過電圧が検出されることなく所定時間が経過した場合、ステップＳ２２において、電圧印加制御部１７５は、電圧印加部１７１の入力部１８１に対してAC電源９１より印加されている電力をスイッチング電源部１７２に出力部１８２より出力するように指示する。この指示に基づいて、出力制御部１８３は、入力部１８１に入力されている電力を出力部１８２に供給し、AC電源９１より印加されている電力をスイッチング電源部１７２に出力させる。
【００７５】
ステップＳ２３において、スイッチング電源部１７２は、電圧印加部１７１より供給されてきたAC電源９１より供給されてきたAC電力をDC電力に変換して遊技台４２に出力する。
【００７６】
一方、ステップＳ２１において、所定時間が経過していない、すなわち、AC電源９１が接続されてから、所定時間が経過していないか、または、所定時間が経過するまでのいずれかのタイミングで過電圧が検知されて、印加制御タイマ１７４のカウントが停止している場合、ステップＳ２４において、電圧印加制御部１７５は、過電圧検知タイマ１７６でカウントされている時間情報を参照して、過電圧検知タイマ１７６においてタイマがカウントされているか否か、すなわち、いずれかのタイミングで過電圧が検知されたか否かを判定し、例えば、過電圧検知タイマ１７６がカウントされていない場合、すなわち、AC電源９１からの印加が開始されてから所定時間が経過していないだけで、過電圧が検知されていない場合、処理は、ステップＳ２１に戻る。
【００７７】
一方、ステップＳ２４において、過電圧検知タイマ１７６のタイマがカウントされている場合、すなわち、過電圧が検知されている場合、ステップＳ２５において、電圧印加制御部１７５は、電圧印加部１７１の入力部１８１に対してAC電源９１より印加されている電力をスイッチング電源部１７２に出力部１８２より出力しないように指示する。この指示に基づいて、出力制御部１８３は、入力部１８１に入力されている電力をカットして、出力部１８２に供給せず、AC電源９１より印加されている電力をカットし、処理は、ステップＳ２１に戻る。
【００７８】
以上においては、AC電源９１よりAC電源が印加されると、印加制御タイマ１７４においてタイマがカウントされ、電圧印加部１７１の出力制御部１８３は、入力部１８１に印加されている電力を、所定時間だけ停止させて、印加制御タイマ１７４のカウントと、過電圧検知タイマ１７６のカウントとを参照して、過電圧が検知されていないと判定されたときにのみ、AC電源９１からの電力がスイッチング電源部１７２に供給される。結果として、AC電源９１からの電力が投入された瞬間に過電圧が発生していても、所定時間が経過するまで、スイッチング電源部１７２には、AC電源９１からの電力が供給されず、その間に過電圧が検知されれば、供給されないことになるので、スイッチング電源部１７２の過電圧による故障を抑制することが可能となる。
【００７９】
次に、図５のフローチャートを参照して、携帯端末固有ID管理処理について説明する。
【００８０】
ステップＳ４１において、RFIDアンテナ管理部２１３は、RFIDアンテナ１６６を制御して、付近にRFIDアンテナ１６６により認識可能な携帯端末３７の固有IDが取得できるか否かを判定する。ステップＳ４１において、例えば、台間機４３の近傍に携帯端末３７を所持した係員が存在し、RFIDアンテナ１６６が、その係員の携帯端末３７の固有ID２５１を受信すると、ステップＳ４２において、RFIDアンテナ管理部２１３は、RFIDアンテナ１６６より受信した固有ID２５１を取得し、管理情報送信部２０２の携帯端末固有ID送信部２２２を制御して、台間機ID２１１と共に台間機管理装置３４に送信させ、処理は、ステップＳ４３に進む。
【００８１】
ステップＳ５１において、携帯端末固有ID管理部１１２は、管理情報受信部１０２の携帯端末固有ID受信部１２２を制御して、台間機４３より携帯端末３７の固有IDが送信されてきたか否かを判定する。ステップＳ５１において、上述したステップＳ４２の処理により、固有ID２５１と台間機ID２１１とが送信されてきた場合、処理は、ステップＳ５２に進む。
【００８２】
ステップＳ５２において、携帯端末固有ID管理部１１２は、管理情報受信部１０２の携帯端末固有ID受信部１２２を制御して、台間機４３より送信されてきた、RFIDアンテナ１６６により受信された携帯端末３７の固有ID２５１と台間機ID２１１とを受信させる。
【００８３】
ステップＳ５３において、携帯端末固有ID管理部１１２は、受信した固有ID２５１と台間機ID２１１とを対応付けて台間機管理DB３５の携帯端末固有ID管理DB１４２に登録し、処理は、ステップＳ５４に進む。
【００８４】
一方、ステップＳ４１において、RFIDアンテナ１６６で固有ID２５１が受信できない場合、ステップＳ４２の処理がスキップされて、処理は、ステップＳ４３に進む。
【００８５】
ステップＳ４３において、RFIDアンテナ管理部２１３は、RFIDアンテナ１６６を制御して、RFIDアンテナ１６６により認識していた携帯端末３７の固有IDが取得できない状態となったか否かを判定する。すなわち、係員が移動するなどして台間機４３の近傍から離れるような状態となり、携帯端末３７の固有ID２５１が受信できない状態となったか否かが判定される。ステップＳ４３において、例えば、台間機４３の近傍で携帯端末３７を所持した係員が移動して台間機４３から離れることにより、RFIDアンテナ１６６が、その係員の携帯端末３７の固有ID２５１を受信することができなくなると、ステップＳ４４において、RFIDアンテナ管理部２１３は、RFIDアンテナ１６６より受信していた固有ID２５１が取得できなくなったものとみなし、管理情報送信部２０２の携帯端末固有ID送信部２２２を制御して、台間機ID２１１と共に取得できなくなった固有ID２５１を台間機管理装置３４に送信させ、処理は、ステップＳ４１に戻る。
【００８６】
この場合、ステップＳ５１において、携帯端末３７の固有IDは受信されないので、ステップＳ５２，Ｓ５３の処理は、スキップされる。
【００８７】
ステップＳ５４において、携帯端末固有ID管理部１１２は、管理情報受信部１０２の携帯端末固有ID受信部１２２を制御して、台間機４３より認識できなくなった携帯端末３７の固有IDが送信されてきたか否かを判定する。ステップＳ５４において、上述したステップＳ４４の処理により、取得できなくなった固有ID２５１と台間機ID２１１とが送信されてきた場合、処理は、ステップＳ５５に進む。
【００８８】
ステップＳ５５において、携帯端末固有ID管理部１１２は、受信した取得できなくなった台間機４３の台間機ID２１１を台間機管理DB３５の携帯端末固有ID管理DB１４２から検索し、その台間機ID２１１とを対応付けて登録されていた情報を削除して、処理は、ステップＳ５１に戻る。
【００８９】
さらに、ステップＳ４３において、RFIDアンテナ１６６により認識していた携帯端末３７の固有IDが取得できない状態となっていないと判定された場合、ステップＳ４４の処理は、スキップされる。したがって、RFIDアンテナ１６６により固有ID２５１が認識されることがない状態が継続すると、ステップＳ４１，Ｓ４３の処理が繰り返される。
【００９０】
同様にして、その場合、ステップＳ５４においても、取得できなくなった固有ID２５１が送信されてくることがないので、ステップＳ５５の処理はスキップされる。したがって、取得された固有ID２５１、および、取得できなくなった固有ID２５１がいずれも存在しない場合、ステップＳ５１，Ｓ５４の処理が繰り返される。
【００９１】
以上の処理により、台間機４３の台間機ID２１１に対応付けられて携帯端末３７の固有ID２５１とが登録された携帯端末固有ID管理DB１４２が、リアルタイムで管理され続けられることにより、遊技店１内における携帯端末３７を所持した係員が存在する位置を、台間機４３の位置に対応付けて管理することが可能となる。
【００９２】
次に、図６のフローチャートを参照して、人感検出管理処理について説明する。
【００９３】
ステップＳ７１において、人感センサ制御部２１４は、人感センサ１６５を制御して、付近に係員などの人間を検知できるか否かを判定する。ステップＳ７１において、例えば、台間機４３の近傍に係員が存在し、人感センサ１６５が、その係員の存在を検知すると、ステップＳ７２において、人感センサ制御部２１４は、人感センサ１６５により係員の存在を検知したこと示す人感検出信号を、管理情報送信部２０２の人感検出信号送信部２２３を制御して、台間機ID２１１と共に台間機管理装置３４に送信させ、処理は、ステップＳ７３に進む。
【００９４】
ステップＳ９１において、人感検出信号管理部１１３は、管理情報受信部１０２の人感検出信号受信部１２３を制御して、台間機４３より人感検出信号が送信されてきたか否かを判定する。ステップＳ９１において、上述したステップＳ７２の処理により、人感検出信号と台間機ID２１１とが送信されてきた場合、処理は、ステップＳ９２に進む。
【００９５】
ステップＳ９２において、人感検出信号管理部１１３は、管理情報受信部１０２の人感検出信号受信部１２３を制御して、台間機４３より送信されてきた、人感検出信号と台間機ID２１１とを受信させる。
【００９６】
ステップＳ９３において、人感検出信号管理部１１３は、受信した人感検出信号と台間機ID２１１とを対応付けて台間機管理DB３５の人感検出信号管理DB１４１に登録し、処理は、ステップＳ９４に進む。
【００９７】
一方、ステップＳ７１において、人感センサ１６５で係員が検出できない場合、ステップＳ７２の処理がスキップされて、処理は、ステップＳ７３に進む。
【００９８】
ステップＳ７３において、人感センサ制御部２１４は、人感センサ１６５を制御して、検出していた係員が検出できない状態となったか否かを判定する。すなわち、係員が移動するなどして台間機４３の近傍から離れるような状態となり、係員の存在が検出できない状態となったか否かが判定される。ステップＳ７３において、例えば、台間機４３の近傍の係員が移動して台間機４３から離れることにより、人感センサ１６５が、その係員を検出することができなくなると、ステップＳ７４において、人感センサ制御部２１４は、人感センサ１６５より検出していた係員が検出できなくなったものとみなし、管理情報送信部２０２の人感検出信号送信部２２３を制御して、台間機ID２１１と共に係員が検出できなくなったこと示す情報を台間機管理装置３４に送信させ、処理は、ステップＳ７１に戻る。
【００９９】
この場合、ステップＳ９１において、人感検出信号は受信されないので、ステップＳ９２，Ｓ９３の処理は、スキップされる。
【０１００】
ステップＳ９４において、人感検出信号管理部１１３は、管理情報受信部１０２の人感検出信号受信部１２３を制御して、台間機４３より係員が検出できなくなったことを示す情報が送信されてきたか否かを判定する。ステップＳ９４において、上述したステップＳ７４の処理により、係員が検出できなくなったことを示す情報と台間機ID２１１とが送信されてきた場合、処理は、ステップＳ９５に進む。
【０１０１】
ステップＳ９５において、人感検出信号管理部１１３は、人感センサ１６５により係員が検出できなくなった台間機４３を識別する台間機ID２１１を台間機管理DB３５の携帯端末固有ID管理DB１４２から検索し、台間機ID２１１とを対応付けて登録されていた人感検出情報を削除して、処理は、ステップＳ９１に戻る。
【０１０２】
さらに、ステップＳ７３において、人感センサ１６５により係員の存在を検出できない状態となっていないと判定された場合、ステップＳ７４の処理は、スキップされる。したがって、人感センサ１６５により係員の存在が検出されることがない状態が継続すると、ステップＳ７１，Ｓ７３の処理が繰り返される。
【０１０３】
同様にして、その場合、ステップＳ９４においても、人感センサ１６５により係員の存在が検出できなくなったことを示す情報が送信されてくることがないので、ステップＳ９５の処理はスキップされる。したがって、人感センサ１６５により係員の存在が検出されない状態が継続した場合、ステップＳ９１，Ｓ９４の処理が繰り返される。
【０１０４】
以上の処理により、台間機４３の台間機ID２１１に対応付けられて人感センサ１６５により係員の存在が検出されているか否かが登録された人感検出信号管理DB１４１が、リアルタイムで管理され続けられることにより、遊技店１内における係員が存在する位置を、台間機４３の位置に対応付けて管理することが可能となる。
【０１０５】
次に、図７のフローチャートを参照して、過電圧警報処理について説明する。
【０１０６】
ステップＳ１１１において、主制御部２０１の過電圧異常管理部２１２は、電源部１６１より過電圧異常を示す信号が送信されてきたか否かを判定し、送信されてくるまで、同様の処理を繰り返す。ステップＳ１１１において、例えば、上述の図３のフローチャートにおけるステップＳ６の処理により、過電圧を検知したことを示す情報が通知されてくると、過電圧異常を示す信号が送信されてきたとみなし、処理は、ステップＳ１１２に進む。
【０１０７】
ステップＳ１１２において、過電圧異常管理部２１２は、管理情報送信部２０２の過電圧異常信号送信部２２１を制御して、過電圧異常を示す信号が検出されたことを示す過電圧異常信号と共に、台間機ID２１１を台間機管理装置３４に送信させる。
【０１０８】
ステップＳ１３１において、携帯端末通信制御部１１１、および警報制御部１１４は、管理情報受信部１０２の過電圧異常信号受信部１２１を制御して、台間機IDと共に過電圧異常信号が送信されてきたか否かを判定し、送信されてくるまで、同様の処理を繰り返す。ステップＳ１３１において、例えば、ステップＳ１１２の処理により、過電圧異常信号が送信されてきた場合、ステップＳ１３２において、携帯端末通信制御部１１１、および警報制御部１１４は、管理情報受信部１０２の過電圧異常信号受信部１２１を制御して、台間機IDと共に過電圧異常信号を受信させる。
【０１０９】
ステップＳ１３３において、携帯端末通信制御部１１１は、携帯端末固有ID管理DB１４２にアクセスし、過電圧異常信号と共に送信されてきた台間機ID２１１の台間機４３の近傍の複数の台間機４３の台間機ID２１１のいずれかに対応付けて登録されている携帯端末３７の固有ID２５１を検索する。
【０１１０】
ステップＳ１３４において、携帯端末通信制御部１１１は、携帯端末固有ID管理DB１４２より、過電圧異常信号と共に送信されてきた台間機ID２１１の近傍の複数の台間機４３の台間機ID２１１のいずれかに対応付けて登録されている固有ID２５１が検索できたか否かを判定する。ステップＳ１３４において、例えば、台間機ID２１１に対応する固有ID２５１が検索できた場合、ステップＳ１３５において、携帯端末通信制御部１１１は、通信部１０５を制御して、検索された固有ID２５１で特定される携帯端末３７に対して、過電圧異常信号を送信してきた台間機ID２１１で特定される台間機４３の情報と共に過電圧異常が発生していることを示す情報を送信させ、処理は、ステップＳ１３６に進む。
【０１１１】
ステップＳ１５１において、携帯端末３７の通信部２５２は、台間機管理装置３４より過電圧異常を示す情報が送信されてきたか否かを判定し、送信されてくるまで、同様の処理を繰り返す。ステップＳ１５１において、例えば、ステップＳ１３５の処理により、過電圧異常が発生していることを示す情報が送信されてきた場合、ステップＳ１５２において、通信部２５２は、送信されてきた過電圧異常が発生していることを示す情報を受信し、その旨を示す情報を表示部２５３に表示する。
【０１１２】
この処理により、過電圧異常が発生した台間機４３の近傍に存在する係員の携帯端末３７に対して、過電圧異常が発生したことが通知されるため、電源を操作する係員が、台間機４３から遠隔地で操作していても、過電圧異常が発生した台間機４３の近傍に存在する係員に対して、迅速に過電圧異常の発生と、発生した台間機４３を通知することが可能となり、異常の発生した台間機４３に迅速に係員を派遣させることが可能となり、結果として、過電圧異常から迅速に復旧させることが可能となる。
【０１１３】
一方、ステップＳ１３４において、携帯端末固有ID管理DB１４２より、過電圧異常信号を送信してきた台間機４３の近傍の複数の台間機４３の台間機IDのいずれにも対応付けて登録されている固有IDが検索されなかった場合、ステップＳ１３５の処理がスキップされる。
【０１１４】
ステップＳ１３６において、警報制御部１１４は、人感検出信号管理DB１４１にアクセスし、過電圧異常信号と共に送信されてきた台間機ID２１１の台間機４３の近傍にある複数の台間機４３の台間機ID２１１のいずれかに対応付けて登録されている人感検出信号を検索する。
【０１１５】
ステップＳ１３７において、警報制御部１１４は、人感検出信号管理DB１４１より、過電圧異常信号と共に送信されてきた台間機ID２１１の台間機４３の近傍にある複数の台間機４３の台間機ID２１１のいずれかに対応付けて人感検出信号が登録されているか否かを判定する。ステップＳ１３７において、例えば、台間機ID２１１の台間機４３の近傍にある複数の台間機４３の台間機ID２１１のいずれかに対応付けて人感検出信号が登録されている場合、ステップＳ１３８において、警報制御部１１４は、管理情報送信部１０３の警報情報送信部１３１を制御して、検索された人感検出信号が登録されている台間機ID２１１の台間機４３に対して、過電圧異常信号を送信してきた台間機ID２１１で特定される台間機４３の情報と共に過電圧異常が発生していることを示す警報情報を送信させ、処理は、ステップＳ１３９に進む。
【０１１６】
ステップＳ１７１において、警報制御部２１５は、管理情報受信部２０３の警報情報受信部２３１を制御して、台間機管理装置３４より過電圧異常を示す警報情報が送信されてきたか否かを判定し、送信されてくるまで、同様の処理を繰り返す。ステップＳ１７１において、例えば、ステップＳ１３８の処理により、過電圧異常が発生していることを示す警報情報が送信されてきた場合、ステップＳ１７２において、警報制御部２１５は、管理情報受信部２０３の警報情報受信部２３１を制御して、台間機管理装置３４より過電圧異常を示す警報情報を受信し、ステップＳ１７３において、送信されてきた過電圧異常が発生していることを示す情報を表示部１６３に表示すると共に、対応する情報を音声としてスピーカ１６４より出力する。
【０１１７】
この処理により、過電圧異常が発生した台間機４３の近傍であって、係員が存在する台間機４３において、過電圧異常が発生した台間機４３を特定する情報が画像により、または、音声により通知されるため、電源を操作する係員が、台間機４３から遠隔地で操作していても、係員に対して、迅速に過電圧異常を通知することが可能となり、過電圧異常が発生した台間機４３に対して迅速に係員を派遣することが可能となり、結果として、過電圧異常から迅速に復旧させることが可能となる。
【０１１８】
一方、ステップＳ１３７において、人感検出信号管理DB１４１より、過電圧異常信号を送信してきた台間機４３の近傍の複数の台間機４３の台間機IDのいずれにも対応付けて人感検出信号が登録されていない場合、ステップＳ１３８の処理がスキップされる。
【０１１９】
ステップＳ１３９において、警報制御部１１４は、台間機４３において、過電圧異常が発生したことを示す情報を表示部３６に表示する。この際、警報制御部１１４は、過電圧異常が発生した台間機４３を特定する情報を台間機ID２１１に基づいて、表示すると共に、過電圧異常が発生した台間機４３に最寄りの係員への携帯端末３７への通知の有無や、人感センサ１６５で検出されている係員への過電圧異常が発生していることを示す情報の呈示をどの台間機４３で行ったかについての情報も併せて表示部３６に表示する。
【０１２０】
この処理により、もし、過電圧異常が発生した台間機４３の近傍の台間機４３で、人感センサ１６５により係員が検出されていなかったり、付近に携帯端末３７を所持した係員が存在しないことにより、過電圧異常が発生した台間機４３の対応を指示すべき係員が検出されない場合でも、遠隔地において電源を操作する係員に対して、確実に過電圧異常が発生した台間機４３を特定する情報を呈示することが可能となる。
【０１２１】
以上の処理により、台間機４３において、過電圧異常が発生するようなことがあっても、過電圧異常が発生した台間機４３の付近に存在する係員に対して携帯端末３７により過電圧異常が発生した台間機４３の情報を通知することが可能となる。また、台間機４３において、過電圧異常が発生するようなことがあっても、過電圧異常が発生した台間機４３近傍であって、係員が存在する複数の台間機４３において、過電圧異常が発生した台間機４３の情報を画像により、または、音声により通知することが可能となる。
【０１２２】
いずれにおいても、過電圧異常が発生した台間機４３に係員を迅速に誘導することが可能となるので、過電圧異常からの台間機４３の復旧を迅速にすることが可能となる。
【０１２３】
尚、以上の例においては、人感センサ１６５により係員の存在が検出された台間機４３の情報に基づいて、人感検出信号管理DB１４１を生成する例について説明してきたが、RFIDアンテナ１６６により取得される携帯端末３７の固有IDの有無により係員の存在を検出するようにして、人感検出信号管理DB１４１を管理するようにしても良い。
【０１２４】
また、以上においては、過電圧異常が発生した台間機４３の近傍であって、係員が存在する台間機４３において過電圧異常が発生したことを通知する例について説明してきたが、過電圧異常が発生した台間機４３とは離れていても係員が付近に存在する台間機４３において、過電圧異常が発生したことを通知するようにしても良い。この場合、過電圧警報処理は、人感検出信号管理DB１４１および携帯端末固有ID管理DB１４２の検索対象が異なるのみであって、その他の処理は同様である。
【０１２５】
さらに、本明細書においては、AC電源が入力として記載されているが、一部のパチンコ台またはパチスロ台においては、DC電源が入力とされている場合もある。このため、必ずしも、AC電源だけが入力として使用されるものではなく、DC電源が入力として使用される場合も含む。
【０１２６】
以上の如く、本発明によれば、誤配線により台間機に過電圧による事故が発生しても、過電圧を遮断することで、遊技台そのものの故障を抑制することが可能になると共に、さらに、誤配線による過電圧事故の発生を係員や管理者に迅速に警告することが可能となる。
【０１２７】
ところで、上述した一連の監視処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１２８】
図８は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１２９】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１３０】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１３１】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１３２】
また、本明細書において、システムとは、複数の装置により構成される装置全体を表すものである。
【図面の簡単な説明】
【０１３３】
【図１】本発明を適用した監視システムの一実施の形態の構成を示す図である。
【図２】図１の遊技台、台間機、台間機管理装置、および携帯端末の構成例を示す図である。
【図３】過電圧監視処理を説明するフローチャートである。
【図４】電源管理処理を説明するフローチャートである。
【図５】携帯端末固有ID管理処理を説明するフローチャートである。
【図６】人感検出管理処理を説明するフローチャートである。
【図７】過電圧警報処理を説明するフローチャートである。
【図８】パーソナルコンピュータの構成例を説明する図である。
【符号の説明】
【０１３４】
１，１−１乃至１−ｎ  遊技店
４  公衆通信回線網
５  第３者遊技店管理バス
３１  遊技店管理装置
３２  遊技台管理データベース
３４  台間機管理装置
３５  台間機管理データベース
３７  携帯端末
３９  精算販売機
４０  貸出機
４１  計数機
４２，４２−１乃至４２−ｎ  遊技台
４３，４３−１乃至４３−ｎ  台間機
【図１】
2008206570.tif 000003
【図２】
2008206570.tif 000004
【図３】
2008206570.tif 000005
【図４】
2008206570.tif 000006
【図５】
2008206570.tif 000007
【図６】
2008206570.tif 000008
【図７】
2008206570.tif 000009
【図８】
2008206570.tif 000010